(57)【要約】【課題】湯通しを良好にして、茶こしの取付け，取外しが簡単で、急須の寸法ばらつきも容易に吸収でき、さらに比較的低コストで対応でき、急須洗浄時での安全性を向上させる急須および急須用茶こしを提供する。【解決手段】注出口（１４）の両側で、注出口寄りの胴部（１１）の内面（１１ｂ）に凸部（１５）が突出形成される茶器本体（１）と、平板状の多孔板（２ｂ）又は網状体（２ａ）を有して、前記凸部地点での横幅（Ｌ２）を両凸部間寸法（Ｌ１）より大きくし、前記凸部（１５）と前記凸部から注出口に至る胴部の平面視円弧状の側壁部分（１１ａ）とで両側縁部分（２１，２１）が係止されることにより起立し、且つこの起立状態下で下縁（２２１）が茶器本体の底面に当接し両側縁（２１１，２１１）が胴部内壁に当接して上縁（２３１）が茶器本体の上面開口（Ｏ）に現れる茶こし（２）、とを具備し、該茶こしにより茶器本体のお茶を収容する収容部（１６）が主部（１６ａ）と注出口側の漉し部（１６ｂ）とに二分割される。【選択図】  図１
2004230101.tif 000002
【特許請求の範囲】
【請求項１】
注出口（１４）の両側で、注出口寄りの胴部（１１）の内面（１１ｂ）に凸部（１５）が突出形成される茶器本体（１）と、
平板状の多孔板（２ｂ）又は網状体（２ａ）を有して、前記凸部地点での横幅（Ｌ２）を両凸部間寸法（Ｌ１）より大きくし、前記凸部（１５）と前記凸部から注出口に至る胴部の平面視円弧状の側壁部分（１１ａ）とで両側縁部分（２１，２１）が係止されることにより起立し、且つこの起立状態下で下縁（２２１）が茶器本体の底面に当接し両側縁（２１１，２１１）が胴部内壁に当接して上縁（２３１）が茶器本体の上面開口（Ｏ）に現れる茶こし（２）、とを具備し、
該茶こしにより茶器本体のお茶を収容する収容部（１６）が主部（１６ａ）と注出口側の漉し部（１６ｂ）とに二分割されることを特徴とする急須。
【請求項２】
前記茶器本体の底部（１０）から或る高さの胴部（１１）の内径がその高さより下方に位置する胴部内径と同等か又はそれより大きくなるよう形成された請求項１記載の急須。
【請求項３】
ほぼ四角形の金属製金網からなる平板状の網状体（２ａ）と、帯状にして該網状体の両側縁に沿って設けられ、一部分が該網状体の側縁部分に被覆一体化し、残り部分が網状体の側縁部分から外方へ所定幅だけ張出す合成樹脂又はゴム製のヒレ（２ｃ）と、を具備し、該ヒレの外方への張出し部分が横断面先細り形状であることを特徴とする急須用茶こし。
【発明の詳細な説明】
【０００１】
【発明の属する技術分野】
本発明は着脱自在に茶こしが取付けられる急須及び急須用茶こしに関する。
【０００２】
【従来の技術】
急須の茶こしには、長年、注出口根元に周壁と一体形成した多孔質の茶こし構造や、急須の開口部に挿着する筒状の網目構造体が用いられてきた。ただ、これらの茶こしは、ともすれば、残り湯によって葉茶がふやけたり湯通しが悪くなる傾向にあった。
こうしたことから、本出願人は、既に、茶こし面積を急須内径，急須容積に比し大きくし、且つ葉茶と残り湯とを隔離する上げ底構造の茶こしを考案し、上記不具合を解決した（実開平２−１４８６２３号公報）。さらに、茶こしを必要応じ取り外し可能にして掃除等を行い易くした着脱自在式の急須用茶こしを提供した（特開平８−１８７１７９号）。
着脱自在式の急須としては、その他、急須本体の内壁部に挿入溝を設け、この挿入溝に茶こし網を嵌着するものが提案されてきた（例えば、特許文献１，２参照）
【０００３】
【特許文献１】
特開平１０−１９２１４７号公報（第２頁、図１，図２）
【特許文献１】
特開２０００−２１０１８１公報（第２頁、図２）
【０００４】
【発明が解決しようとする課題】
しかるに、特開平８−１８７１７９号公報の急須用茶こしは、茶器本体内を仕切って取付けられており、着脱自在式といっても素人には取り外しや取付けが難しかった。そして、これまでの急須は一般に上面開口が狭くなっており、茶こしの取り外しや取付けを一層困難にしていた。
一方、前記特許文献１，２のように挿入溝を設けた急須は、挿入溝のある取付け杆や溝の土手を別途製造するコストアップ、さらにこれを急須本体の内壁部に固着する作業負担の増加等に問題があった。取付け杆や溝の土手がともすればお茶を入れるときに水流抵抗にもなった。
また、挿入溝に茶こし網を取り外したり取付けたりするのにやはり手間取っていた。溝幅が狭く且つ縦に長い挿入溝に茶こしを嵌着するには結構時間を費やした。加えて、急須は石膏型で作るのが一般的で、時間，温度，湿度等によって急須の寸法に微妙にばらつきがあり、特許文献１，２はこの寸法のばらつきを吸収するのが難しかった。結局、種々の寸法の取付け杆や溝の土手を用意するか、又は種々の大きさの茶こしを用意して急須の微妙な寸法の違いに合わせて組付けていかねばならなかった。
【０００５】
本発明は上記問題点を克服するもので、湯通しを良好にして、茶こしの取付け，取外しが簡単で、急須の寸法ばらつきも容易に吸収でき、さらに比較的低コストで対応でき、急須洗浄時での安全性を向上させる急須および急須用茶こしを提供することを目的とする。
【０００６】
【課題を解決するための手段】
上記目的を達成すべく、請求項１に記載の発明の要旨は、注出口（１４）の両側で、注出口寄りの胴部（１１）の内面（１１ｂ）に凸部（１５）が突出形成される茶器本体（１）と、平板状の多孔板（２ｂ）又は網状体（２ａ）を有して、前記凸部地点での横幅（Ｌ２）を両凸部間寸法（Ｌ１）より大きくし、前記凸部（１５）と前記凸部から注出口に至る胴部の平面視円弧状の側壁部分（１１ａ）とで両側縁部分（２１，２１）が係止されることにより起立し、且つこの起立状態下で下縁（２２１）が茶器本体の底面に当接し両側縁（２１１，２１１）が胴部内壁に当接して上縁（２３１）が茶器本体の上面開口（Ｏ）に現れる茶こし（２）、とを具備し、該茶こしにより茶器本体のお茶を収容する収容部（１６）が主部（１６ａ）と注出口側の漉し部（１６ｂ）とに二分割されることを特徴とする急須にある。請求項２の発明たる急須は、請求項１で、茶器本体の底部（１０）から或る高さの胴部（１１）の内径がその高さより下方に位置する胴部内径と同等か又はそれより大きくなるよう形成されたことを特徴とする。
請求項３に記載の発明の要旨は、ほぼ四角形の金属製金網からなる平板状の網状体（２ａ）と、帯状にして該網状体の両側縁に沿って設けられ、一部分が該網状体の側縁部分に被覆一体化し、残り部分が網状体の側縁部分から外方へ所定幅だけ張出す合成樹脂又はゴム製のヒレ（２ｃ）と、を具備し、該ヒレの外方への張出し部分が横断面先細り形状であることを特徴とする急須用茶こしにある。
【０００７】
請求項１の発明のごとく、凸部（１５）と前記凸部から注出口に至る胴部の平面視円弧状の側壁部分（１１ａ）とで茶こし（２）の両側縁部分（２１，２１）が係止されると、側壁部分（１１ａ）の受入れ間口が広いので茶こしの取付け，取り外しが容易になる。それでいて、茶こしが注出口側に倒れようとしても、注出口側に行くに従い茶こしの横幅を受け入れる側壁部分の幅が狭まるので注出口側へは倒れ難くなっている。茶こしの起立用係止部材としては凸部を設けるだけなので、低コストで本発明の急須を製造できる。
請求項２の発明のごとく、茶器本体の底部（１０）から或る高さの胴部（１１）の内径がその高さより下方に位置する胴部内径と同等か又はそれより大きくなるよう形成されると、茶こしの引き上げ時の茶器本体の抵抗が弱く、簡単に茶こしを取り出せる。
請求項３の茶こしのように網状体（２ａ）と合成樹脂又はゴム製のヒレ（２ｃ）とを具備すると、ヒレにより茶こしの剛直性が備わり、茶こしは凸部による係止で起立安定度が増す。さらにヒレの外方への張出し部分が横断面先細り形状であると、前述のごとく急須の製造で収容部の大きさにバラツキがでるが、ヒレのカットで茶こしの大きさを微調整でき、バラツキを吸収し易くなる。
【０００８】
【発明の実施の形態】
以下、本発明の急須及び急須用茶こしについて詳述する。図１〜図７は、本発明に係る急須及び急須用茶こし（以下、単に「茶こし」という。）の一形態で、図１はその分解斜視図、図２は茶こしの正面図で、鎖線で収容部に装着された凸部概略位置を示す。図３は図２のＩ−Ｉ線矢視図、図４は図３のＡ部拡大図、図５は図１の茶こしが茶器本体内に取付けられた急須の縦断面図、図６，図７は図５のＩＩ−ＩＩ線矢視図である。図６，図７は開口導入部１３の断面を示すハッチング表示を省く。
図８は図１とは別態様の茶こしで、（イ）が正面図で（ロ）が側面図、図９もまた別態様の茶こしで（イ）が正面図で（ロ）が（イ）のＩＩＩ−ＩＩＩ線矢視図、図１０は別形態の茶こしの斜視図を示す。
【０００９】
本実施形態の急須は茶器本体１と茶こし２と蓋３とを具備する。
茶器本体１は胴部１１と底部１０と注出口１４と把手１９とを有する。円筒状胴部１１と円板状底部１０とで有底筒体のお茶が入る急須容器の収容部１６が形成され、胴部１１の前方部中程に漏斗状の注出口１４が外付け固着される（図５）。急須容器の収容部１６へ、詳しくは茶こし２に仕切られた主部１６ａ（後述）へ、上面開口Ｏから茶葉，お湯が入ってお茶になり、そのお茶だけが茶こし２を通過し漉し部１６ｂ（後述）、さらに胴部１１に形成した通湯口１４ａを通り、注出口１４内の通湯路１４ｂを経て注ぎ口１４ｃから茶碗等に注がれる。把手１９は注出口１４の突出位置から約９０°ずらした胴部１１の外面に固着される。
【００１０】
前記胴部１１にはその上部で外方に少し張出す張出部１２が延設された後、上方に向かって口広がりになる開口導入部１３が設けられる。胴部１１の前方部の箇所では内方へも張出す弓形の内鍔１２ａが設けられる（図１）。急須を傾けてお茶を茶碗等に注ぐときに、傾けすぎてもある程度までは内鍔１２ａが堰き止め、お茶が開口Ｏからこぼれ出ないようにする。
【００１１】
そして、注出口１４の両側で、注出口１４寄りの胴部１１の内面１１ｂに凸部１５が突出形成される。例えば図１のような小突起用チップを後加工で胴部内面１１ｂに固着することにより凸部１５が形成される。凸部１５は通湯口１４ａから平面視で図６のごとく左右等距離はなれた胴部内面１１ｂに後付け固定され、その左右等距離に配される凸部１５は、茶こし２を起立配設できるよう、それぞれ垂直方向に所定間隔を開けて複数１５ａ，１５ｂ（ここでは２個）設けられる（図５）。前記チップに代え、棒状体で凸部１５を形成することもできる。斯る場合、凸部１５は通湯口１４ａから平面視で左右等距離にそれぞれ１個設けられる。
【００１２】
本実施形態の茶器本体１は底部１０から或る高さの胴部１１の内径がその高さより下方に位置する胴部１１の内径と同等か又はそれより大きくなるよう形成される。ここでは図５のように底部１０の内径ｄ１よりも胴部１１の張出部付け根地点１１１の胴部内径ｄ２を大きくし、胴部１１は底部外周１０１から上面開口Ｏに向かってその内径が徐々に大きくなっている。斯る構成によって胴部１１内に起立配設された茶こし２を上方へ容易に引き上げることができる。茶器本体１は従来、特開平８−１８７１７９号等に見られるように、底部から胴部中央に向かって円弧状の膨らみをもたせた後、上面開口部に向けてまた円弧状に狭まる縦断面が帯直弧形状が一般的で、茶こし２の取り出しが困難であったのを改善する。
【００１３】
茶こし２は平板状でほぼ四角形の網状体２ａを有し、両凸部１５ａ，１５ａ（又は１５ｂ，１５ｂ）の高さ地点で、前記通湯口１４ａから平面視で左右等距離に配される両凸部１５間の寸法Ｌ１より、茶こし横幅Ｌ２を大きくしたものである（図７）。茶こし２は凸部１５と凸部１５から注出口１４に至る胴部１１の平面視円弧状の側壁部分１１ａとで両側縁部分２１，２１が係止されることにより起立する。その起立状態下で、茶こし２は下縁２２１が茶器本体１の底面に当接し、両側縁２１１，２１１が前記側縁部分１１ａの胴部内壁１１ａ１に当接する。そして茶こし上縁２３１が蓋３を取り除いた茶器本体１の上面開口Ｏに現れる。茶こし２の上縁２３１が上面開口Ｏに現れるため、これを手で摘んで上方に引き上げることにより、茶こし２を茶器本体１から簡単に取り外すことができる。
【００１４】
茶器本体１内で凸部１５と側壁部分１１ａに係止されて茶こし２が起立し、茶こし下縁２２１が底部１０に当接すると共に茶こし２の両側縁２１１が胴部内壁１１ａ１に当接することにより、茶器本体１のお茶を収容する収容部１６が主部１６ａと漉し部１６ｂとに二分割される。収容部１６は茶葉が入る主部１６ａと、茶葉の侵入が茶こし２により阻止されお茶のみが通過する注出口側漉し部１６ｂとに二分割される。ここで、漉し部１６ｂの主部１６ａに対する容積割合は１／５〜２／３の範囲が望ましい。１／５未満になると、茶こし２が通湯口１４ａ側に近づきすぎ、漉し部１６ｂを形成する茶こし２の漉す面積が小さくなる。その結果、お茶を茶碗に注ぐと、茶葉が網状体２ａを覆いお茶の注出口１４への流れを悪くする。一方、２／３より大きくなると、茶器本体１内の主部１６ａへ茶葉を入れるのが難しくなる。また凸部１５から注出口１４に至る側壁部分１１ａで係止の役割を担う円弧カーブが、茶こし２の凸部係止面１５１に対し緩やかになりすぎて茶こし２を起立させるのが困難になる（図６）。
【００１５】
茶こし２は、図８のごとく金網のみからなる網状体２ａで構成することができるが、ほぼ四角形の金属製金網からなる平板状の網状体２ａと、帯状にして該網状体２ａの両側縁に沿って形成され、一部分２ｃ１が該網状体２ａの側縁部分に被覆一体化し、残り部分２ｃ２が網状体の側縁部分から外方へ所定幅だけ張出す合成樹脂又はゴム製のヒレ２ｃと、を備える茶こし２とするとより好ましくなる。金網に比べ腰があり保形性に優れるヒレ２ｃが凸部１５に係止されるので、茶こし２は凸部１５と茶器本体１の側壁部分１１ａとに挟まれて安定起立するからである。と同時に、金網を扱うときに怪我し易い金網両側が合成樹脂又はゴム製ヒレ２ｃで被覆されるので、怪我防止にもなる。ヒレ２ｃは図９に示すように金網の両側にのみ設けることでもよいが、ここでのヒレ２ｃは図１〜図６のごとくほぼ四角形の金属製金網の外周縁を全て取り巻く。ヒレ２ｃが枠体になってより保形性に優れ頑強となり、且つ金網のエッジで怪我するのを完全防止する。さらにヒレ２ｃは少なくとも残り部分２ｃ２たる張出し部分を先端に向かって先細り形状とする。茶器本体１はろくろや型成形で造られるが、例えば型成形で造られる場合、製造時の温度や湿度、さらに成形サイクル等によって茶器本体１の寸法が微妙に違ってくる。胴部内径の多少の違いも予め切り代を見込んだヒレ２ｃを設けることによって胴部１１の内径が大きくなっても対応できる。また胴部１１の内径が小さめに製造された場合でも、ヒレ２ｃを横断面先細り形状にすることによって、カット処理で容易に調整できる。茶こし２の外周不要部分を適宜カット（例えば図４の矢印）して、茶器本体１内へ簡単に取付けることができる。歩留まりが向上し製品化し易い。ヒレ２ｃがカットされることにより、カット面２１ａ，２３ａが両側縁部分２１や上縁部分２３に現れるが、急須としての働きに支障はない。
また横断面先細り形状のヒレ２ｃがシリコンゴム等の合成樹脂，ゴムで形成されることによって、程よい可撓性，弾力性を有する。茶こし２を少し押し加減で茶こし下端部分２２のヒレ２ｃが多少撓むようセットすれば（図５）、ヒレ２ｃが底部１０に密着し、主部１６ａと漉し部１６ｂとの仕切りを確実なものとする。
【００１６】
茶こし２は、またほぼ四角形の網状体２ａにしながらも、蓋３の裏面の凹みに合わせて、上縁中央部を上方になだらかに膨らませる図２に示すような形状にする。お茶を入れる際、急須が傾きすぎた場合でも、茶こし２を乗り越えて茶葉が漉し部１６ｂに侵入しづらいからである。
【００１７】
図８，図９に他態様の茶こし２を図示する。茶こし２が図８のごとく金網だけからなる網状体２ａや図９のごとく上縁部分２３が金網で形成される場合、金網上縁ラインで怪我しないよう、そこを巻き込んで茶こし上縁部分２３を形成する。茶こし２はまた図１０のごとく陶磁器製の板状多孔板２ｂで形成することができる。多孔板２ｂは下辺寸法ｄ３が前記底部内径ｄ１より若干小さく、上辺寸法ｄ４が前記胴部内径ｄ２より若干小さくなる。符号２５は茶こし用透孔を示す。
【００１８】
蓋３は前記張出部１２上に載置可能の外周を有し、開口導入部１３から茶器本体１の上面開口Ｏに蓋することのできる円盤体である。蓋３の上面中央にはつまみ３２が設けられ、蓋本体３１に通気孔３３が穿設される。
【００１９】
次に上記構成の急須の一使用方法を説明する。まず、茶こし２を図１の黒矢印のごとく内向きに折り曲げるよう弾性変形させて、凸部１５より通湯口１４ａ側の収容部１６に茶こし２を差し入れ（図６の鎖線）、茶こし２の下縁部分２２が底部１０に当接したところで手を離す。茶こし２は網状体２ａ及びヒレ２ｃの構成部材からなり弾性を有する。従って、茶こし２は弾性復元力で平板状に戻り、茶こし２の両側縁部分２１，２１が凸部１５に係止され、該凸部１５とこれから注出口１４に至る胴部１１の平面視円弧状の側壁部分１１ａとに挟まれ、起立保持される。その後、茶こし２を下方へ少し押し付ければ、茶こし２の下縁２２１が底部１０に当接し両側縁２１１，２１１が胴部内壁１１ａ１に当接して、茶こし２が収容部１６を仕切って主部１６ａと漉し部１６ｂとに分割した所望の急須が出来上がる。
【００２０】
お茶を入れる場合、茶葉を主部１６ａに投入後、お湯を収容部１６（主部１６ａでも漉し部１６ｂでもよい。）に注入する。所定時間経てばお茶ができる。急須を傾ければ、お茶は主部１６ａ，漉し部１６ｂから通湯口１４ａ，通湯路１４ｂを通り、注ぎ口１４ｃから茶碗に注がれる。茶葉は茶こし２により通過を阻止され主部１６ａ内に留まる。
茶こし２が汚れてきて洗浄したい場合、茶こし２の上縁を手で摘み持ち上げる。すると、急須の胴部１１が底部外周１０１から上面開口Ｏに向かってその内径が大きくなっているので、茶こし２は容易に取り出すことができる。茶こし２がきつめに装着されている場合でも、平面視円弧状の側壁部分１１ａからなる係止側は、円弧状に狭まる側壁部分１１ａで茶こしを係止するので、茶こし２の中央部を主部１６ａ側から注出口１４側へ少し強めに押せば、茶こし２が湾曲して係止部位から離れ、楽に取り出せるようになる。
【００２１】
このように構成した急須及び茶こし２は、凸部１５から注出口１４に至る茶器本体１を構成する平面視円弧状の側壁部分１１ａを、茶こし２を起立させる片方の係止部材として利用でき、単に凸部１５を後加工で胴部内面１１ｂに設けるだけで済むので、従来品に比し低コストで製造できる。小突起の凸部部分だけであるため作業負担も少ない。胴部１１の平面視円弧状の側壁部分１１ａは、茶こし２を係止するといっても茶こし幅にある程度の融通性をもって起立保持できる。茶こし２の起立保持に融通性があるため、茶器本体の収容部１６に厳しい寸法精度は要求されず、生産性向上に役立つ。そして、茶こし２が収容部１６を主部１６ａと漉し部１６ｂとに仕切ることにより湯通しの良好な急須が得られる。その湯通しに関しては、湯通しを阻害するのは胴部内面１１ｂに一部突出する係止用凸部１５だけであって（図２）、挿入溝用取付け杆や土手が流れを遮って水流抵抗になるといった従来品に見られる不具合はない。茶器本体１内の洗浄も楽になる。
また、茶こし２の茶器本体１への取付けは、弾性を有する茶こし２にあって、図１の矢印のごとく両サイドを折り曲げるようにして茶こし２を挿入すれば挿入間口も広く簡単に装着できる。従来の挿入溝に茶こし２を挿入，セットするのは、年配者に極めて面倒且つ困難であったが、本発明では容易くセットできる。
そして、急須の使用により茶こし２が汚れた場合は、茶こし２の上縁２３１が上面開口Ｏに現れているので、ここを手で摘んで取り出すことができる。急須は茶器本体１の底部１０から或る高さの胴部１１の内径がその高さより下方に位置する胴部１１内径と同等か又はそれより大きくなるよう形成されているので、茶こし２を上方へ引き上げれば簡単に抜ける。茶こし２が胴部の内面１１ｂに密着して抜きづらい場合でも、茶こし２中央を主部１６ａ側から注出口１４側を押せば茶こし２が湾曲して凸部１５から離れるので、すんなり取り出せる。
【００２２】
さらに茶こし２がほぼ四角形の金属製金網からなる網状体２ａと、該網状体２ａの両側縁に沿って形成される帯状で、その一部分が該網状体２ａの側縁部分に被覆一体化し、残り部分が網状体２ａの側縁部分から外方へ所定幅だけ張出すヒレ２ｃと、を備えると、ヒレ２ｃが四角形の保形性を保って凸部１５に係止されるので、茶こし２がより安定起立できるようになる。ヒレ２ｃが合成樹脂製又はゴム製で張出し部分２ｃ２が横断面先細り形状であれば、金網等と違って、ヒレ２ｃの先端部分を簡単にカットできる。このカットにより長さ調整し、茶器本体１の寸法誤差を吸収できる。加えて、網状体２ａの金網周縁をヒレ２ｃが被覆すれば、怪我防止に役立つ。
なお、図１０のような陶磁器製多孔板２ｂからなる茶こし２にあっては、上述の網状体２ａ及びヒレ２ｃの構成部材からなる茶こし２のように内向きに折り曲げ弾発性を利用して急須本体内に茶こし２を装着することはできない。しかし、図１〜図６或いは図８や図９と同等若しくは少し小さめの形状にすれば、茶こし２の急須への取付け，取り外しが簡単で湯通しも良好な急須にすることができる。急須のみならず茶こし２が陶磁器製になることによって衛生的になる。金属製金網を使った茶こし２に見られる目詰まり洗浄の回数も減る。
【００２３】
尚、本発明においては、前記実施形態に示すものに限られず、目的，用途に応じて本発明の範囲で種々変更できる。茶器本体１，茶こし２，蓋３等の形状，大きさ，個数，材質等は用途に合わせて適宜選択できる。
【００２４】
【発明の効果】
以上のごとく、本発明の急須および急須用茶こしは、低コストにして茶こしの取付け，取外しがいたって簡単で、さらに急須の寸法ばらつきも容易に吸収でき、湯通しも良好であるなど優れた効果を発揮する。
【図面の簡単な説明】
【図１】本発明に係る急須の一形態で、その分解斜視図である。
【図２】茶こしの正面図である。
【図３】図２のＩ−Ｉ線矢視図である。
【図４】図３のＡ部拡大図である。
【図５】上蓋の裏側から見た斜視図である。
【図６】図５のＩＩ−ＩＩ線矢視図である。
【図７】図５のＩＩ−ＩＩ線矢視図とその一部拡大図である。
【図８】図１とは別態様の茶こしで、（イ）が正面図で（ロ）が側面図である。
【図９】別態様の茶こしで（イ）が正面図で（ロ）が（イ）のＩＩＩ−ＩＩＩ線矢視図である。
【図１０】別形態の茶こしの斜視図である。
【符号の説明】
１              茶器本体
１０            底部
１１            胴部
１１１          胴部内面
１１ａ          凸部から注出口に至る側壁部分
１４            注出口
１５            凸部
１６            収容部
１６ａ          主部
１６ｂ          漉し部
２              茶こし
２ａ            網状体
２ｂ            多孔板
２ｃ            ヒレ
２ｃ１            一部分
２ｃ２            残り部分（張出し部分）
２１            側縁部分
２１１          側縁
２３１          上縁
【図１】
2004230101.tif 000003
【図２】
2004230101.tif 000004
【図３】
2004230101.tif 000005
【図４】
2004230101.tif 000006
【図５】
2004230101.tif 000007
【図６】
2004230101.tif 000008
【図７】
2004230101.tif 000009
【図８】
2004230101.tif 000010
【図９】
2004230101.tif 000011
【図１０】
2004230101.tif 000012